(57)【要約】【課題】  ＲＧＢ−ｔｏ−ＲＧＢＷ色分解方法およびシステムを提供する。【解決手段】ＲＧＢ−ｔｏ−ＲＧＢＷ（Ｒｅｄ  Ｇｒｅｅｎ  Ｂｌｕｅ−ｔｏ−Ｒｅｄ  Ｇｒｅｅｎ  Ｂｌｕｅ  Ｗｈｉｔｅ）色分解方法は、入力されるＲＧＢ値および彩度に基づいて白色に対する出力値を決定する段階と、入力色が純色の場合に出力値を出力する段階とを含む。【選択図】図１
2014102511.tif 000002
【特許請求の範囲】
【請求項１】
ＲＧＢ−ｔｏ−ＲＧＢＷ色分解方法において、
色空間変換を用いて前記ＲＧＢ値を輝度と彩度成分を含む色空間に変換する段階と、
前記輝度と彩度成分を含む色空間値のうち彩度値Ｓおよび輝度値Ｖを用いて白色に対する出力値を計算する段階と、
を含むことを特徴とするＲＧＢ−ｔｏ−ＲＧＢＷ色分解方法。
【請求項２】
前記輝度と彩度成分を含む色空間値を用いて前記ＲＧＢ値に対する出力値を計算する段階、
をさらに含むことを特徴とする請求項１に記載のＲＧＢ−ｔｏ−ＲＧＢＷ色分解方法。
【請求項３】
前記輝度と彩度成分を含む色空間値を用いて前記ＲＧＢ値に対する出力値を計算する前記段階は、
前記輝度と彩度成分を含む色空間値のうちＶ値を強調してＶ’値を計算する段階と、
前記輝度と彩度成分を含む色空間値のうちの値、前記Ｖ’値を用いて、前記輝度と彩度成分を含む色空間値のうちＳ値が最大である場合に対するＲＧＢ値であるＲ’Ｇ’Ｂ’値を計算する段階と、
前記Ｒ’Ｇ’Ｂ’値、前記Ｓ値、および前記Ｖ’値を用いて前記ＲＧＢに対する出力値を計算する段階と、
を含むことを特徴とする請求項１に記載のＲＧＢ−ｔｏ−ＲＧＢＷ色分解方法。
【請求項４】
前記輝度と彩度成分を含む色空間値のうちＶ値を強調してＶ’値を計算する前記段階は、
前記Ｖ値を入力されたモデルパラメータＶｔｈに基づいて線形に増加させ、前記増加されたＶ値のうち予め選定された最大値以上のＶ値を前記最大値としてクリッピングして前記Ｖ’値を計算することを特徴とする請求項３に記載のＲＧＢ−ｔｏ−ＲＧＢＷ色分解方法。
【請求項５】
前記Ｒ’Ｇ’Ｂ’値、前記Ｓ値、および前記Ｖ’値を用いて前記ＲＧＢに対する出力値を計算する前記段階は、
前記ＲＧＢ値のうちＲ値、Ｇ値、またはＢ値に対して前記Ｓ値が入力されたモデルパラメータＳｔｈよりも大きい場合には、前記Ｒ’Ｇ’Ｂ’値のうちＲ’値、Ｇ’値、またはＢ’値を前記Ｒ値、前記Ｇ値、または前記Ｂ値として決定することを特徴とする請求項３に記載のＲＧＢ−ｔｏ−ＲＧＢＷ色分解方法。
【請求項６】
前記Ｒ’Ｇ’Ｂ’値、前記Ｓ値、および前記Ｖ’値を用いて前記ＲＧＢに対する出力値を計算する前記段階は、
前記ＲＧＢ値のうちＲ値、Ｇ値、またはＢ値に対して前記Ｓ値が入力されたモデルパラメータＳｔｈよりも小さい場合には、前記Ｓに線形に比例するように前記出力値を増加させ、前記Ｓが０である場合には、前記Ｖ’値を前記Ｒ値、前記Ｇ値、または前記Ｂ値として決定することを特徴とする請求項３に記載のＲＧＢ−ｔｏ−ＲＧＢＷ色分解方法。
【請求項７】
前記輝度と彩度成分を含む色空間値のうちＳ値およびＶ値を用いて前記白色に対する出力値を計算する前記段階は、
前記白色に対して前記Ｓ値が０よりも大きくて入力されたモデルパラメータＳｔｈよりも小さい場合には、前記Ｖ値を前記出力値として決定し、前記Ｓ値が入力されたモデルパラメーターＳｔｈより大きくて１よりも小さい場合には、前記出力値が前記Ｖから前記Ｖの最小値に線形的に減少させることを特徴とする請求項３に記載のＲＧＢ−ｔｏ−ＲＧＢＷ色分解方法。
【請求項８】
前記最小値は、前記Ｖ値によって決定される値であって、前記Ｖ値が入力されたモデルパラメータＶｔｈよりも小さければ０の値を有し、前記Ｖ値が前記Ｖｔｈよりも大きければ、前記Ｖ値が１であるとき、入力されたモデルパラメータＷａｄｄ値となるように増加することを特徴とする請求項７に記載のＲＧＢ−ｔｏ−ＲＧＢＷ色分解方法。
【請求項９】
前記ＲＧＢ値を線形化する段階と、
前記ＲＧＢ値に対する出力値および前記白色に対する出力値にディスプレイガンマをそれぞれ適用する段階と、
をさらに含むことを特徴とする請求項３に記載のＲＧＢ−ｔｏ−ＲＧＢＷ色分解方法。
【請求項１０】
ＲＧＢ−ｔｏ−ＲＧＢＷ色分解システムにおいて、
色空間変換を用いて前記ＲＧＢ値を輝度と彩度成分を含む色空間に変換するＲＧＢ変換部と、
前記輝度と彩度成分を含む色空間値のうち彩度値Ｓおよび輝度値Ｖを用いて白色に対する出力値を計算する白色出力値計算部と、
を含むことを特徴とするＲＧＢ−ｔｏ−ＲＧＢＷ色分解システム。
【請求項１１】
前記輝度と彩度成分を含む色空間値を用いて前記ＲＧＢ値に対する出力値を計算するＲＧＢ出力値計算部と、
をさらに含むことを特徴とする請求項１０に記載のＲＧＢ−ｔｏ−ＲＧＢＷ色分解システム。
【請求項１２】
前記ＲＧＢ出力値計算部は、
前記輝度と彩度成分を含む色空間値のうちＶ値を強調してＶ’値を計算するＶ値強調部と、
前記輝度と彩度成分を含む色空間値のうちＳ値、前記Ｖ’値を用いて、前記色空間値のうちＳ値が最大である場合に対するＲＧＢ値であるＲ’Ｇ’Ｂ’値を計算するＲ’Ｇ’Ｂ’値計算部と、
前記Ｒ’Ｇ’Ｂ’値、前記Ｓ値、および前記Ｖ’値を用いて前記ＲＧＢに対する出力値を計算する出力値計算部と、
を含むことを特徴とする請求項１１に記載のＲＧＢ−ｔｏ−ＲＧＢＷ色分解システム。
【請求項１３】
白色出力値計算部は、
前記白色に対して前記Ｓ値が０よりも大きくて入力されたモデルパラメータＳｔｈよりも小さい場合には、前記Ｖ値を前記出力値として決定し、前記Ｓ値が入力されたモデルパラメータＳｔｈよりも大きくて１よりも小さな場合には、前記出力値が前記Ｖから前記Ｖの最小値に線形的に減少させることを特徴とする請求項１０に記載のＲＧＢ−ｔｏ−ＲＧＢＷ色分解システム。
【請求項１４】
前記ＲＧＢ値を線形化するＲＧＢ値線形化部と、
前記ＲＧＢ値に対する出力値および前記白色に対する出力値にディスプレイガンマをそれぞれ適用するガンマ適用部と、
をさらに含むことを特徴とする請求項１０に記載のＲＧＢ−ｔｏ−ＲＧＢＷ色分解システム。
【請求項１５】
輝度に対する不正な影響なくＲＧＢをＲＧＢＷに変換するシステムにおいて、
入力ＲＧＢ値に基づいて白色値および出力ＲＧＢ値を決定する白色値決定部と（前記白色値は、前記出力ＲＧＢ値の増加によって線形に増加する）、
ディスプレイにディスプレイされるピクセルに対応する前記白色値および前記出力ＲＧＢ値を出力する出力部と、
を含むＲＧＢ−ｔｏ−ＲＧＢＷ変換システム。
【請求項１６】
前記白色値決定部は、
前記入力ＲＧＢ値の最大値を決定する最大値決定部と、
前記最大値に基づいて彩度を計算する彩度計算部と、
前記最大値および前記彩度に基づいて前記白色値を計算する白色値計算部と、
を含むことを特徴とする請求項１５に記載のＲＧＢ−ｔｏ−ＲＧＢＷ変換システム。
【請求項１７】
前記白色値決定部は、
ＲＧＢ値をＨＳＢ値に変換するＲＧＢ変換部と、
前記ＨＳＢ値に基づいて前記出力ＲＧＢ値を決定するＲＧＢ値計算部と、
前記ＨＳＢ値に基づいて前記白色値を計算する白色値計算部と、
を含むことを特徴とする請求項１５に記載のＲＧＢ−ｔｏ−ＲＧＢＷ変換システム。
【請求項１８】
前記ＲＧＢ値計算部は、
前記ＨＳＢ値の輝度値を強調する輝度強調部と、
前記強調された輝度値および前記ＨＳＢ値の彩度値に基づいて中間ＲＧＢ値を決定するＲＧＢ決定部と、
前記中間ＲＧＢ値、前記強調された輝度値、および前記彩度値に基づいて前記出力ＲＧＢ値を決定するＲＧＢ出力部と、
を含むことを特徴とする請求項１７に記載のＲＧＢ−ｔｏ−ＲＧＢＷ変換システム。
【請求項１９】
前記ＲＧＢ値計算部は、
前記入力ＲＧＢ値を線形化する線形化部と（線形化されたＲＧＢ値は、輝度に線形で比例する）、
前記出力ＲＧＢ値および前記白色値にガンマを適用するガンマ部と、
を含み、
前記ＲＧＢ変換部は、
前記線形化されたＲＧＢ値を前記ＨＳＢ値に変換することを特徴とする請求項１７記載のＲＧＢ−ｔｏ−ＲＧＢＷ変換システム。
【請求項２０】
前記白色値は、前記入力ＲＧＢ値の最大値が増加し、前記入力ＲＧＢ値の彩度が減少するだけ増加し、
前記白色値決定部は、
前記増加された白色値を決定することを特徴とする請求項１５に記載のＲＧＢ−ｔｏ−ＲＧＢＷ変換システム。
【請求項２１】
前記白色値決定部は、
前記入力ＲＧＢ値の調整なく前記白色値を決定することを特徴とする請求項１５に記載のＲＧＢ−ｔｏ−ＲＧＢＷ変換システム。
【発明の詳細な説明】
【技術分野】
【０００１】
本発明は、ＲＧＢ−ｔｏ−ＲＧＢＷ色分解方法、ＲＧＢ−ｔｏ−ＲＧＢＷ色分解システム及びＲＧＢ−ｔｏ−ＲＧＢＷ変換システム等に関連し、より詳細には、液晶ディスプレイやプラズマディスプレイパネルなどの透過型ディスプレイ、電子ペーパーなどの反射型ディスプレイ、有機発光ダイオードなどの自発光システムのようにサブピクセルで表現が可能なすべてのディスプレイに適用することができるＲＧＢ−ｔｏ−ＲＧＢＷ色分解方法およびシステムに関する。
【背景技術】
【０００２】
従来技術では、ＲＧＢ（Ｒｅｄ−Ｇｒｅｅｎ−Ｂｌｕｅ）信号からＲＧＢＷ（Ｒｅｄ−Ｇｒｅｅｎ−Ｂｌｕｅ−Ｗｈｉｔｅ）信号を抽出する多様な方法が記述されているが、このすべては、純度が高いカラー（ＨＳＶ値基準、Ｖ＝１、Ｓ＝１であるカラー）の純度を保持するために、白色に対する出力値を与えないことを基本としている。しかし、このような場合には、パネルの最大白色と対比した原色の輝度比が既存のＲＧＢパネルに比べて低くなるため、全体的な映像の色彩の彩度が減少するという問題が生じる。
【先行技術文献】
【特許文献】
【０００３】
【特許文献１】特開平１０−１２３４７７号公報
【特許文献２】特開２００５−２４２３００号公報
【発明の概要】
【発明が解決しようとする課題】
【０００４】
本発明は、前記のような問題点を解決するために案出されたものであって、ＲＧＢ入力信号をＲＧＢＷ出力信号に変換する過程において、入力ＲＧＢのうち最大値が大きくなるほど、または入力色の彩度が小くなるほど、白色出力値が大きくなることを特徴とするＲＧＢ−ｔｏ−ＲＧＢＷ色分解方法およびシステムを提供することを目的とする。
【０００５】
また、本発明は、純色に白色を加えることで、モニタ白色に比べて原色の輝度比を向上させ、原色輝度比の低下による画質劣化を解決することができるＲＧＢ−ｔｏ−ＲＧＢＷ色分解方法およびシステムを提供することを目的とする。
【０００６】
さらに、本発明は、サブピクセルに隔壁がないＲＧＢＷ反射型ディスプレイに適用される際に、純色に白色を加えるとともに、純色から彩度が低くなる色に対して白色のみを加え、白色がすべて用いられた後に残りのチャンネルのデジタル値を増加させて彩度を低めることで、パネルの反射率を高めて出力彩度を向上させる効果を最大化することができるＲＧＢ−ｔｏ−ＲＧＢＷ色分解方法およびシステムを提供することを目的とする。
【課題を解決するための手段】
【０００７】
前記の目的を解決するために、本発明の一実施形態に係るＲＧＢ−ｔｏ−ＲＧＢＷ色分解方法は、入力されるＲＧＢ値および彩度に基づいて白色に対する出力値を決定する段階と、前記出力値を出力する段階とを含む。このとき、前記白色に対する出力値は、前記ＲＧＢ値のうち最大値が大きいほど、または前記入力色の彩度が小さいほど、大きい値を有することができる。
【０００８】
本発明の一側面よれば、入力されるＲＧＢ値および彩度に基づいて白色に対する出力値を決定する前記段階は、前記ＲＧＢ値の入力を受けて最大値を確認する段階と、前記ＲＧＢ値のうち最小値および前記最大値に基づいて前記彩度を計算する段階と、前記最大値および前記彩度に基づいて前記白色に対する出力値を計算する段階とを含むことができる。
【０００９】
本発明の一側面によれば、入力されるＲＧＢ値および彩度に基づいて白色に対する出力値を計算する前記段階は、色空間変換を用いて前記ＲＧＢ値をＨＳＶ（Ｈｕｅ、Ｓａｔｕｒａｔｉｏｎ、Ｖａｌｕｅ）値に変換する段階と、前記ＨＳＶ値を用いて前記ＲＧＢ値に対する出力値を計算する段階と、前記ＨＳＶ値のうちＳ値およびＶ値を用いて前記白色に対する出力値を計算する段階とを含むことができる。
【００１０】
本発明の一側面によれば、入力されるＲＧＢ値および彩度に基づいて白色に対する出力値を計算する前記段階は、前記ＲＧＢ値を線形化する段階と、前記ＲＧＢ値に対する出力値および前記白色に対する出力値にディスプレイガンマをそれぞれ適用する段階とをさらに含むことができる。
【００１１】
本発明の一実施形態に係るＲＧＢ−ｔｏ−ＲＧＢＷ色分解方法は、入力されるＲＧＢ値の入力を受けて最大値を確認する段階と、前記ＲＧＢ値のうち最小値および前記最大値に基づいて彩度を計算する段階と、前記最大値および前記彩度に基づいて白色に対する出力値を計算する段階とを含む。
【００１２】
本発明の一実施形態に係るＲＧＢ−ｔｏ−ＲＧＢＷ色分解方法は、色空間変換を用いて前記ＲＧＢ値をＨＳＶ値に変換する段階と、前記ＨＳＶ値のうちＳ値およびＶ値を用いて前記白色に対する出力値を計算する段階とを含む。このとき、前記ＲＧＢ−ｔｏ−ＲＧＢＷ色分解方法は、前記ＨＳＶ値を用いて前記ＲＧＢ値に対する出力値を計算する段階をさらに含むことができるし、前記ＲＧＢ値を線形化する段階と、前記ＲＧＢ値に対する出力値および前記白色に対する出力値にディスプレイガンマをそれぞれ適用する段階とをさらに含むことができる。
【発明の効果】
【００１３】
本発明によれば、ＲＧＢ入力信号をＲＧＢＷ出力信号に変換する過程において、入力ＲＧＢのうち最大値が大きくなるほど、または入力色の彩度が小くなるほど、出力Ｗ値が大きくなる特徴を用いて純色に白色を加えることで、モニタ白色に比べて原色の輝度比を向上させ、原色輝度比の低下による画質劣化を解決することができる効果がある。
【００１４】
本発明によれば、サブピクセルに隔壁がないＲＧＢＷ反射型ディスプレイに適用される際に、純色に白色を加えるとともに、純色から彩度が低くなる色に対して白色のみを加え、白色がすべて用いられた後に残りのチャンネルのデジタル値を増加させて彩度を低めることで、パネルの反射率を高めて出力彩度を向上させる効果を最大化することができる。
【図面の簡単な説明】
【００１５】
【図１】サブピクセル間に隔壁がない反射型ディスプレイの駆動を説明するための一例である。
【図２】本発明の一実施形態において、ＲＧＢ−ｔｏ−ＲＧＢＷ色分解方法を示したフローチャートである。
【図３】輝度と彩度情報を含む色空間を用いてＲＧＢ入力信号からＲＧＢＷ出力信号を計算する方法を説明した一例である。
【図４】本発明の一実施形態において、ＲＧＢ−ｔｏ−ＲＧＢＷカラー分解の他の方法を示したフローチャートである。
【図５】Ｖ値を強調を説明するための一例である。
【図６】ＨＳＶのＳ値および強調されたＶ値であるＶ’値を用いてＲＧＢに対する出力値を計算する方法を説明するための一例である。
【図７ａ】ＨＳＶのＳ値およびＶ値を用いて白色に対する出力値を計算する方法を説明するための一例である。
【図７ｂ】ＨＳＶのＳ値およびＶ値を用いて白色に対する出力値を計算する方法を説明するための一例である。
【図８】本発明の一実施形態において、ＲＧＢ−ｔｏ−ＲＧＢＷカラー分解のさらに他の方法を示したフローチャートである。
【図９】本発明の一実施形態において、ＲＧＢ−ｔｏ−ＲＧＢＷ色分解システムの内部構成を説明するためのブロック図である。
【図１０】本発明の一実施形態において、白色出力値決定部の他の内部構成を説明するためのブロック図である。
【図１１】本発明の一実施形態において、白色出力値決定部のさらに他の内部構成を説明するためのブロック図である。
【発明を実施するための形態】
【００１６】
以下、添付の図面を参照しながら、本発明に係る多様な実施形態を詳しく説明する。
【００１７】
図１の（ａ）および（ｂ）は、サブピクセル間に隔壁がない反射型ディスプレイの駆動を説明するための一例である。このような反射型ディスプレイには、既存の液晶ディスプレイよりも深刻なチャンネル間のクロストークが存在するが、その原因としては次の２つが挙げられる。
【００１８】
１つ目に、クロストークは、各サブピクセルに信号が入って来たときに、このサブピクセル内の反射体が白色あるいは黒色に転換される程度が周辺サブピクセルの信号の大きさによって影響を受けるために発生する場合がある。すなわち、図１の（ａ）に示されたように、赤色サブピクセル１１１のみがオンされた場合には、赤色サブピクセル１１１内のすべての反射体が白色で表現されずに、反射体１１２のように周辺に行くほど黒色が混ざるようになる。この反面、図１の（ｂ）に示されたように、赤色サブピクセル１２１と白色サブピクセル１２２がすべてオンされた場合には、サブピクセル境界の反射体１２３もすべて白色に転換されるようになる。したがって、赤色サブピクセル１２１と白色サブピクセル１２２が同時にオンされた場合の反射率は、赤色サブピクセル１２１と白色サブピクセル１２２がそれぞれオンされた場合の出力反射率の合計よりも極めて高い値を示すようになる。
【００１９】
２つ目に、クロストークは、図１の（ａ）および（ｂ）において矢印で表示された光の経路で確認できるように、反射体の表面で起こる散乱が原因で発生する場合がある。図１の（ａ）に示されたように、赤色サブピクセル１１１はオンされ、白色サブピクセル１１３はオフされた場合に、第１経路１１４に沿って入射した光は、赤色サブピクセル１１１の赤色フィルタを通過した後に反射体の表面で散乱し、その大部分が再び赤色フィルタを介して外に出るようになる。これは、赤色フィルタを２度通過した色として人間の目に認識される。この反面、第２経路１１５を介して入射した光が反射体で散乱するときには、赤色フィルタを介して出る光だけでなく、横の白色サブピクセル１１３の白色フィルタを介して出る光も存在するようになる。これは、赤色フィルターを１度通過した色として認識されるようになる。しかし、図１の（ｂ）に示されたように、赤色サブピクセル１２１と白色サブピクセル１２２がすべてオンされた場合には、赤色サブピクセル１２１に入射して白色フィルタを介して出る第３経路１２４だけでなく、白色サブピクセル１２２を介して入った後に赤色フィルタを介して出る第４経路１２５の光路も、赤色フィルタを１度通過した色として人間の目に認識されるようになる。したがって、赤色信号に白色信号が加えられたときに、白色を帯びた第５経路１２６の光によって赤色の彩度が減少するだけでなく、第３経路１２４と第４経路１２５によって赤色信号が増加する効果も現れるようになり、既存の液晶ディスプレイのように白色信号によって彩度が低くなるという効果はほぼ無くなる。
【００２０】
例えば、図１の（ａ）および（ｂ）で示された特性を有する反射型ディスプレイの場合には、上述した２つの原因によって、赤色（または緑色、青色）サブピクセルと白色サブピクセルが隣接したときに、赤色サブピクセルのみをオンした場合よりも、白色サブピクセルをともにオンした場合の方が、彩度を維持しながら輝度増加が起こるという効果を示すようになる。このとき、赤色（または緑色、青色）サブピクセルに緑色（または赤色、青色）または青色（または緑色、赤色）サブピクセルが位置するようになれば、サブピクセルが同時に点いたときには反射率が高くなるが、彩度が維持される現象は無くなる。これは、赤色フィルタを通過した光が赤色波長領域吸収率の高い緑色フィルタや青色フィルタを通過しながらすべての光が吸収され、透過する光が無くなってしまうためである。このような物理的現象を用いれば、白色信号を適切に調節する場合に、ＲＧＢＷシステムで問題となっている原色が白色に比べて輝度が減少する現象を効果的に解決できるようになる。
【００２１】
本発明は、純色（入力されたＲＧＢ値のうちの１つ以上は０、他の値のうちの１つ以上は２５５）に白色を追加することで、反射型ディスプレイの反射率を高めて最大出力彩度を維持するＲＧＢ−ｔｏ−ＲＧＢＷ色分解方法およびシステムを提案する。
【００２２】
ＲＧＢ−ｔｏ−ＲＧＢＷ色分解方法は、入力ＲＧＢ値のうち最大値であるＭａｘ（Ｒ、Ｇ、Ｂ）が大きくなるほど、または入力色の彩度が小くなるほど、出力Ｗ値が大きくなることを特徴とする。出力ＲＧＢ値は、入力ＲＧＢ値と同じであったり、入力色の特徴および出力Ｗ値に応じて新たな値に変換されたりする。本発明の一実施形態によれば、入力色が純色であるときに出力Ｗ値が出力されることで、ディスプレイ白色に比べて純色の輝度が低下することを防ぐことができる。
【００２３】
図２は、本発明の一実施形態において、ＲＧＢ−ｔｏ−ＲＧＢＷ色分解方法を示したフローチャートである。
【００２４】
段階Ｓ２１０で、ＲＧＢ入力信号をＲＧＢＷ出力信号に変換するＲＧＢ−ｔｏ−ＲＧＢＷ色分解システムは、入力されるＲＧＢ値および彩度に基づいて白色に対する出力値を決定する。このとき、白色に対する出力値は、ＲＧＢ値のうち最大値が大きいほど、または入力色の彩度が小さいほど、大きい値を有することができる。このような白色に対する出力値は、多様な方法で決定されることができる。このような多様な方法については、図２の段階Ｓ２１１ないし段階Ｓ２１３、および図４および図８を参照しながら、それぞれ詳しく説明する。
【００２５】
段階Ｓ２１１で、ＲＧＢ−ｔｏ−ＲＧＢＷ色分解システムは、ＲＧＢ値の入力を受けて最大値を確認する。このとき、最大値とは、ＲＧＢ値のうち最大値を意味するものであって、Ｍａｘ（Ｒｉｎ、Ｇｉｎ、Ｂｉｎ）のように表現される。ここで、Ｒｉｎ、Ｇｉｎ、およびＢｉｎとは、それぞれ赤色、緑色、および青色に対する入力値を意味するものである。
【００２６】
段階Ｓ２１２で、前記ＲＧＢ−ｔｏ−ＲＧＢＷ色分解システムは、ＲＧＢ値のうち最小値および最大値に基づいて彩度を計算する。このとき、彩度はＳで表現される。また、Ｓは、下記の式（４）のように最大値および最小値を用いて計算されるようになる。
【００２７】
Ｓ＝｛Ｍａｘ（Ｒｉｎ、Ｇｉｎ、Ｂｉｎ）−Ｍｉｎ（Ｒｉｎ、Ｇｉｎ、Ｂｉｎ）｝／Ｍａｘ（Ｒｉｎ、Ｇｉｎ、Ｂｉｎ）          （４）
ここで、Ｍｉｎ（Ｒｉｎ、Ｇｉｎ、Ｂｉｎ）とは、最小値を意味するものである。
【００２８】
段階Ｓ２１３で、ＲＧＢ−ｔｏ−ＲＧＢＷ色分解システムは、最大値および彩度に基づいて白色に対する出力値を計算する。すなわち、ＲＧＢ値である赤色、緑色、および青色入力値と前記彩度を用いて、下記の式（５）のように表現された白色に対する出力値と白色に対する出力値を含むＲＧＢＷ値を得ることができる。
【００２９】
Ｒｏｕｔ＝Ｒｉｎ、
Ｇｏｕｔ＝Ｇｉｎ、
Ｂｏｕｔ＝Ｂｉｎ、
Ｗｏｕｔ＝｛（１−Ｓ）（１−α）＋α｝×Ｍａｘ（Ｒｉｎ、Ｇｉｎ、Ｂｉｎ）
（５）
ここで、Ｒｏｕｔは赤色に対する出力値を、Ｇｏｕｔは緑色に対する出力値を、Ｂｏｕｔは青色に対する出力値を、Ｗｏｕｔは白色に対する出力値をそれぞれ意味しており、αは０と１の間の値を意味している。このとき、ＲＧＢ−ｔｏ−ＲＧＢＷ色分解システムは、αを調節することによって、純色に白色サブピクセルが混ざる割合を調節することができる。
【００３０】
段階Ｓ２２０で、ＲＧＢ−ｔｏ−ＲＧＢＷ色分解システムは、白色に対する出力値を出力する。このとき、純色、すなわち入力されたＲＧＢ値のうちの１つ以上は０、他の値のうちの１つ以上は２５５を有する色がＲＧＢ値として入力される場合には、白色に対する出力値をＲＧＢ値それぞれの出力値とともに出力することができる。
【００３１】
図３は、輝度と彩度情報を含む色空間を用いてＲＧＢ入力信号からＲＧＢＷ出力信号を計算する方法を説明した一例であり、ＨＳＶを例として用いた。ここで、ＨＳＶとは、ＲＧＢから下記の式（６）のように導き出される色空間であって、図３に示された円筒で上面の円境界が純色を示している。
【００３２】
【数１】
2014102511.tif 000003
ここで、Ｈは色調を、ＭＡＸはＲＧＢ値の最大値を、ＭＩＮはＲＧＢ値の最小値を、Ｒ、Ｇ、およびＢはＲＧＢ値のうちの赤色、緑色、および青色の値を、Ｓは彩度をそれぞれ意味している。また、Ｖは、色調および彩度によるＨＳＶ値の値を意味している。
【００３３】
図３を参照すれば、入力された純色は、ＲＧＢ値はそのままにして白色に対する出力値を追加して表現されており、純色においてＨＳＶ色空間から円中心に近付くほど、純色に白色に対する出力値のみを増加させて彩度を低めた後、白色に対する出力値がすべて表現された後は、他のチャンネル値を増加させて彩度を低めることができる。また、Ｖ値が低い領域でＶを向上させ、実際の入力値よりも出力値がより大きく表現されるようにもできるし、Ｖ値が１を超える値から白色を追加させて輝度を向上させることもできる。
【００３４】
後述する図４ないし図８では、このような図３を用いながら、図２で説明した白色に対する出力値を計算する方法について説明する。
【００３５】
図４は、本発明の一実施形態において、ＲＧＢ−ｔｏ−ＲＧＢＷカラー分解の他の方法を示したフローチャートである。図４に示されたように、段階Ｓ４１０ないし段階Ｓ４３０は、図２を用いて説明したように、段階Ｓ２１１ないし段階Ｓ２１３の代わりに段階Ｓ２１０に含まれて実行されることができる。
【００３６】
段階Ｓ４１０で、ＲＧＢ入力信号をＲＧＢＷ出力信号に変換するＲＧＢ−ｔｏ−ＲＧＢＷ色分解システムは、色空間変換を用いてＲＧＢ値をＨＳＶ値に変換する。このとき、ＨＳＶ値は、式（６）に基づいて導き出すことができ、上面の円境界が純色を示す色空間を示すことができる。
【００３７】
段階Ｓ４２０で、ＲＧＢ−ｔｏ−ＲＧＢＷ色分解システムは、ＨＳＶ値を用いてＲＧＢ値に対する出力値を計算する。このとき、ＲＧＢ−ｔｏ−ＲＧＢＷ色分解システムは、段階Ｓ４２０でＲＧＢ値に対する出力値を計算するために、図４に示されたように、段階Ｓ４２１ないし段階Ｓ４２３を含むことができる。
【００３８】
段階Ｓ４２１で、ＲＧＢ−ｔｏ−ＲＧＢＷ色分解システムは、ＨＳＶ値のうちＶ値を強調してＶ’値を計算する。このために、ＲＧＢ−ｔｏ−ＲＧＢＷ色分解システムは、Ｖ値を入力されたモデルパラメータＶｔｈに基づいて線形に増加させ、増加したＶ値のうち予め選定された最大値以上であるＶ値を最大値としてクリッピングしてＶ’値を計算することができる。図５は、Ｖ値の強調を説明するための一例である。図５において、最大値は１であり、Ｖ値を線形に増加させた後に最大値１を超えるＶ値を１でクリッピングすることで、Ｖ値を増加させることができる。このとき、Ｖｔｈ５０１は、Ｖ値が増加する程度を決定する値であって、ユーザによって入力されることができる。
【００３９】
段階Ｓ４２２で、ＲＧＢ−ｔｏ−ＲＧＢＷ色分解システムは、ＨＳＶ値のうちＨ値、Ｖ’値を用いて、ＨＳＶ値のうちＳ値が１である場合に対するＲＧＢ値であるＲ’Ｇ’Ｂ’値を計算する。このために、ＲＧＢ−ｔｏ−ＲＧＢＷ色分解システムは、図３を用いて説明したＨＳＶ色空間において、Ｖ’値の位置で生成される円内に存在する色Ｐ（Ｈ、Ｓ、Ｖ’）のＳ値が最大に向上した境界面の位置のＰ’（Ｈ、１、Ｖ’）値をＲ’Ｇ’Ｂ’値として求めることができる。
【００４０】
段階Ｓ４２３で、ＲＧＢ−ｔｏ−ＲＧＢＷ色分解システムは、Ｒ’Ｇ’Ｂ’値、Ｓ値、およびＶ’値を用いてＲＧＢに対する出力値を計算する。このとき、ＲＧＢ−ｔｏ−ＲＧＢＷ色分解システムは、ＲＧＢ値のうちＲ値、Ｇ値、またはＢ値に対してＳ値が入力されたモデルパラメータＳｔｈよりも大きい場合には、Ｒ’Ｇ’Ｂ’値のうちＲ’値、Ｇ’値、またはＢ’値をＲ出力値、Ｇ出力値、またはＢ出力値として決定することができる。また、ＲＧＢ−ｔｏ−ＲＧＢＷ色分解システムは、Ｒ’値、Ｇ’値、またはＢ’値に対してＳ値がＳｔｈよりも小さい場合には、Ｓに線形で比例するように出力値を増加させ、Ｓが０の場合には、Ｖ’値をＲ出力値、Ｇ出力値、またはＢ出力値として決定することができる。図６は、ＨＳＶのＳ値および強調されたＶ値であるＶ’値を用いてＲＧＢに対する出力値を計算する方法を説明するための一例である。すなわち、Ｒ（ＧまたはＢ）の出力値であるＲｏｕｔ（ＧｏｕｔまたはＢｏｕｔ）は、Ｓ値がＳｔｈ６０１よりも大きい場合には、Ｒ’Ｇ’Ｂ’値でＲ’（Ｇ’またはＢ’）値をそのままＲｏｕｔ（ＧｏｕｔまたはＢｏｕｔ）として出し、Ｓ値がＳｔｈ６０１よりも小さい場合には、Ｓが小くなるほど線形にＲｏｕｔ（ＧｏｕｔまたはＢｏｕｔ）値を増加させ、Ｓが０の場合すなわち中間色である場合には、Ｒｏｕｔ（ＧｏｕｔまたはＢｏｕｔ）がＶ’値と同じになるようにすることができる。
【００４１】
段階Ｓ４３０で、ＲＧＢ−ｔｏ−ＲＧＢＷ色分解システムは、ＨＳＶ値のうちＳ値およびＶ値を用いて白色に対する出力値を計算する。このとき、ＲＧＢ−ｔｏ−ＲＧＢＷ色分解システムは、白色に対してＳ値が０よりも大きくて入力されたモデルパラメータＳｔｈよりも小さい場合には、Ｖ値を出力値として決定する。また、Ｓ値が入力されたモデルパラメータＳｔｈよりも大きくて１よりも小さい場合には、出力値をＶからＶの最小値に線形的に減少させることができる。図７ａおよび図７ｂは、ＨＳＶのＳ値およびＶ値を用いて白色に対する出力値を計算する方法を説明するための一例である。白色の出力値であるＷｏｕｔは、Ｓ値が０よりも大きくてＳｔｈ７１１よりも小さい場合には、Ｖ値として決定することができる。また、Ｓ値がＳｔｈ７１１よりも大きくて１よりも小さい場合には、Ｗｏｕｔ値がＶから最小値であるＶｍｉｎ７１２に線形に減少して出力されるようにできる。このとき、Ｖｍｉｎ７１２は、Ｖ値によって決定される値であって、Ｖ値が入力されたモデルパラメータＶｔｈ７２１よりも小さければ、０の値を有する。また、Ｖ値がＶｔｈ７２１よりも大きければ、Ｖ値が１であるとき、入力されたモデルパラメータＷａｄｄ７２２値となるように増加することができる。
【００４２】
本一実施形態で用いられるＶｔｈ、Ｓｔｈ、Ｗａｄｄは、ユーザが選択することができるモデルパラメータである。Ｖｔｈは、Ｖ値が強調されて飽和（ｓａｔｕｒａｔｉｏｎ）される位置を意味し、Ｗａｄｄは、純色に白色が追加される程度を意味する。また、Ｓｔｈは、白色のみを用いて彩度を減少させる位置を示す値であって、すべてのＶ値で同じ値を用いたりＶ値による関数で表現したりできる。
【００４３】
図８は、本発明の一実施形態において、ＲＧＢ−ｔｏ−ＲＧＢＷカラー分解のさらに他の方法を示したフローチャートである。図８に示されたように、段階Ｓ８０１ないし段階Ｓ８０５は、図２を用いて説明したように、段階Ｓ２１１ないし段階Ｓ２１３の代わりに段階Ｓ２１０に含まれて実行されることができる。このとき、段階Ｓ８０２ないし段階Ｓ８０４は、図４を用いて説明した段階Ｓ４１０ないし段階Ｓ４３０にそれぞれ対応することができる。すなわち、図８に示されたフローチャートは、図４に示されたフローチャートに段階Ｓ８０１および段階Ｓ８０５が追加されたものである。
【００４４】
段階Ｓ８０１で、ＲＧＢ−ｔｏ−ＲＧＢＷ色分解システムは、ＲＧＢ値を線形化する。すなわち、図４の段階Ｓ４１０に対応する段階Ｓ８０２において、色空間変換を用いてＲＧＢ値をＨＳＶ値に変換する前に、まず、ＲＧＢ値を線形化することができる。このようなＲＧＢ値に対する線形化は、ＲＧＢ値を出力輝度と線形的な値に変換する過程を意味するものである。
【００４５】
段階Ｓ８０５で、ＲＧＢ−ｔｏ−ＲＧＢＷ色分解システムは、ＲＧＢ値に対する出力値および白色に対する出力値にディスプレイガンマをそれぞれ適用する。すなわち、図４の段階Ｓ４２０に対応する段階Ｓ８０３で計算されたＲＧＢ値に対する出力値、および段階Ｓ４３０に対応する段階Ｓ８０４で計算された白色に対する出力値それぞれにディスプレイガンマを適用することができる。例えば、入力映像がｓＲＧＢ（ｓｔａｎｄａｒｄ  Ｒｅｄ  Ｇｒｅｅｎ  Ｂｌｕｅ）映像である場合に、線形化されたＲＧＢ値には、Ｒ＝（ｄＲ／２５５）２．２のように２．２ガンマが適用されることができる。
【００４６】
本発明の一実施形態は、デジタルＲＧＢ値を基準として計算されるＨＳＶを用いて白色が増加する程度を計算するときに、増加する値が輝度と非線形的な関係を有するようになり、出力値が線形に増加するように見えないという問題を補完する役割を行う。
【００４７】
図９は、本発明の一実施形態において、ＲＧＢ−ｔｏ−ＲＧＢＷ色分解システムの内部構成を説明するためのブロック図である。ここで、図９に示されたように、ＲＧＢ−ｔｏ−ＲＧＢＷ色分解システム９００は、白色出力値決定部９１０および出力部９２０を含む。
【００４８】
白色出力値決定部９１０は、入力されるＲＧＢ値および彩度に基づいて白色に対する出力値を決定する。このとき、白色に対する出力値は、ＲＧＢ値のうち最大値が大きいほど、または入力色の彩度が小さいほど、大きい値を有することができる。このような白色に対する出力値は、多様な方法で決定されることができる。このような多様な方法によるＲＧＢ−ｔｏ−ＲＧＢＷ色分解システム９００の内部構造については、図９ないし図１１を参照しながら、それぞれ詳しく説明する。多様な方法のうちの１つの方法によれば、白色出力値部９１０は、図９に示されたように、ＲＧＢ最大値計算部９１１と、彩度計算部９１２と、白色出力値計算部９１３とを含むことができる。
【００４９】
ＲＧＢ最大値計算部９１１は、ＲＧＢ値の入力を受けて最大値を確認する。このとき、最大値とは、ＲＧＢ値のうち最大値を意味するものであって、Ｍａｘ（Ｒｉｎ、Ｇｉｎ、Ｂｉｎ）のように表現されることができる。ここで、Ｒｉｎ、Ｇｉｎ、およびＢｉｎは、赤色、緑色、および青色に対する入力値をそれぞれ意味するものである。
【００５０】
彩度計算部９１２は、ＲＧＢ値のうち最小値および最大値に基づいて彩度を計算する。このとき、彩度は、Ｓで表現されることができる。また、Ｓは、上記した式（４）のように最大値および最小値を用いて計算されることができる。
【００５１】
白色出力値計算部９１３は、最大値および彩度に基づいて白色に対する出力値を計算する。すなわち、ＲＧＢ値である赤色、緑色、および青色入力値と彩度を用いて、上記した式（５）のように表現される白色に対する出力値と白色に対する出力値を含むＲＧＢＷ値とを得ることができる。
【００５２】
出力部９２０は、白色に対する出力値を出力する。下記では、図９を用いて説明した方法とは異なる方法で白色に対する出力値を計算する方法について、図１０および図１１を参照しながら詳しく説明する。
【００５３】
図１０は、本発明の一実施形態において、白色出力値決定部の他の内部構成を説明するためのブロック図である。このとき、図１０に示されたように、ＲＧＢ変換部１０１０、ＲＧＢ出力値計算部１０２０、および白色出力値計算部１０３０は、図９を用いて説明したＲＧＢ最大値計算部９１１、彩度計算部９１２、および白色出力値計算部９１３の代わりに白色出力値決定部９１０に含まれることができる。
【００５４】
ＲＧＢ変換部１０１０は、色空間変換を用いてＲＧＢ値をＨＳＶ値に変換する。このとき、ＨＳＶ値は、上記の式（６）を用いて導き出すことができ、上面の円境界が純色を示す色空間を示すことができる。
【００５５】
ＲＧＢ出力値計算部１０２０は、ＨＳＶ値を用いてＲＧＢ値に対する出力値を計算する。このとき、ＲＧＢ出力値計算部１０２０は、ＲＧＢ値に対する出力値を計算するために、図１０に示されたように、Ｖ値強調部１０２１、Ｒ’Ｇ’Ｂ’値計算部１０２２、および出力値計算部１０２３を含むことができる。
【００５６】
Ｖ値強調部１０２１は、ＨＳＶ値のうちＶ値を強調してＶ’値を計算する。このために、Ｖ値強調部１０２１は、Ｖ値を入力されたモデルパラメータＶｔｈに基づいて線形に増加させ、増加したＶ値のうち予め選定された最大値以上のＶ値を最大値としてクリッピングしてＶ’値を計算することができる。図５は、Ｖ値の強調を説明するための一例である。
【００５７】
Ｒ’Ｇ’Ｂ’値計算部１０２２は、ＨＳＶ値のうちＨ値、Ｖ’値を用いてＨＳＶ値のうちＳ値が１である場合に対するＲＧＢ値であるＲ’Ｇ’Ｂ’値を計算する。このために、Ｒ’Ｇ’Ｂ’値計算部１０２２は、図３を用いて説明したＨＳＶ色空間でＶ’値の位置で生成される円内に存在する色Ｐ（Ｈ、Ｓ、Ｖ’）のＳ値が最大に向上した境界面の位置のＰ’（Ｈ、１、Ｖ’）値をＲ’Ｇ’Ｂ’値として求めることができる。
【００５８】
出力値計算部１０２３は、Ｒ’Ｇ’Ｂ’値、Ｓ値、およびＶ’値を用いてＲＧＢに対する出力値を計算する。このとき、出力値計算部１０２３は、ＲＧＢ値のうちＲ値、Ｇ値、またはＢ値に対してＳ値が入力されたモデルパラメータＳｔｈよりも大きい場合には、Ｒ’Ｇ’Ｂ’値のうちＲ’値、Ｇ’値、またはＢ’値をＲ値、Ｇ値、またはＢ値として決定することができる。また、ＲＧＢ−ｔｏ−ＲＧＢＷ色分解システムは、Ｒ値、Ｇ値、またはＢ値に対してＳ値がＳｔｈよりも小さい場合には、Ｓに線形で比例するように出力値を増加させ、Ｓが０である場合には、Ｖ’値をＲ値、Ｇ値、またはＢ値として決定することができる。
【００５９】
白色出力値計算部１０３０は、ＨＳＶ値のうちＳ値およびＶ値を用いて白色に対する出力値を計算する。このために、白色出力値計算部１０３０は、白色に対してＳ値が０よりも大きくて入力されたモデルパラメータＳｔｈよりも小さい場合には、Ｖ値を出力値として決定する。また、Ｓ値が入力されたモデルパラメーターＳｔｈよりも大きくて１よりも小さい場合には、出力値をＶからＶの最小値に線形的に減少させることができる。このとき、最小値とは、Ｖ値によって決定される値であって、Ｖ値が入力されたモデルパラメータＶｔｈよりも小さければ、０の値を有する。また、Ｖ値がＶｔｈよりも大きければ、Ｖ値が１であるとき、入力されたモデルパラメータＷａｄｄ値となるように増加することができる。
【００６０】
本発明の一実施形態で用いられるＶｔｈ、Ｓｔｈ、Ｗａｄｄは、ユーザが選択することができるモデルパラメータである。Ｖｔｈは、Ｖ値が強調されて飽和される位置を意味するものであり、Ｗａｄｄは、純色に白色が追加される程度を意味するものである。また、Ｓｔｈは、白色のみを用いて彩度を減少させる位置を示す値であって、すべてのＶ値で同じ値を用いたりＶ値による関数で表現したりできる。
【００６１】
図１１は、本発明の一実施形態において、白色出力値決定部のさらに他の内部構成を説明するためのブロック図である。このとき、図１１に示されたように、線形化部１１０１、ＲＧＢ変換部１１０２、ＲＧＢ出力値計算部１１０３、白色出力値計算部１１０４、およびガンマ適用部１１０５は、図９を用いて説明されたＲＧＢ最大値計算部９１１、彩度計算部９１２、および白色出力値計算部９１３の代わりに白色出力値決定部９１０に含まれることができる。
【００６２】
ここで、ＲＧＢ変換部１１０２、ＲＧＢ出力値計算部１１０３、白色出力値計算部１１０４は、図１０を用いて説明したＲＧＢ変換部１０１０、ＲＧＢ出力値計算部１０２０、および白色出力値計算部１０３０とそれぞれ対応することができる。すなわち、図１１に示された白色出力値決定部９１０は、図１０に示された白色出力値決定部９１０に加えて線形化部１１０１およびガンマ適用部１１０５をさらに含むことができる。
【００６３】
線形化部１１０１は、ＲＧＢ値を線形化する。すなわち、図１０を用いて説明したＲＧＢ変換部１０１０と対応するＲＧＢ変換部１１０２であって、色空間変換を用いてＲＧＢ値をＨＳＶ値に変換する前に、ＲＧＢ値を線形化することができる。このようなＲＧＢ値に対する線形化は、ＲＧＢ値を出力輝度と線形的な値に変換する過程を意味するものである。
【００６４】
ガンマ適用部１１０５は、ＲＧＢ値に対する出力値および白色に対する出力値にディスプレイガンマをそれぞれ適用する。すなわち、ＲＧＢ出力値計算部１１０３で計算されたＲＧＢ値に対する出力値および白色出力値計算部１１０４で計算された白色に対する出力値それぞれにディスプレイガンマを適用することができる。例えば、入力映像がｓＲＧＢ映像である場合に、線形化されたＲＧＢ値には、Ｒ＝（ｄＲ／２５５）２．２のように２．２ガンマが適用されることができる。
【００６５】
本発明の一実施形態は、デジタルＲＧＢ値を基準として計算されるＨＳＶを用いて白色が増加される程度を計算するときに、増加される値が輝度と非線形的な関係を有するようになり、出力値が線形に増加するように見えないという問題を補完する役割を行う。
【００６６】
このように、本発明に係るＲＧＢ−ｔｏ−ＲＧＢＷ色分解方法およびシステムを用いれば、ＲＧＢ入力信号をＲＧＢＷ出力信号に変換する過程において、入力ＲＧＢのうち最大値が大きくなるほど、または入力色の彩度が小くなるほど、白色出力値が大きくなることを特徴としている。さらに、純色に白色を加えることで、モニタ白色に比べて原色の輝度比を向上させ、原色輝度比の低下による画質劣化を解決することができる。また、サブピクセルに隔壁がないＲＧＢＷ反射型ディスプレイに適用される際には、純色に白色を加えるとともに、純色から彩度が低下する色に対して白色のみを加え、白色がすべて用いられた後に残りのチャンネルのデジタル値を増加させて彩度を低下させることで、パネルの反射率を高めて出力彩度を向上させる効果を最大化することができる。
【００６７】
なお、本発明に係る実施形態は、コンピュータにより具現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるもののような機械語コードだけでなく、インタプリタなどを用いてコンピュータによって実行される高級言語コードを含む。前記したハードウェア要素は、本発明の動作を実行するために一以上のソフトウェアモジュールとして作動するように構成することができ、その逆もできる。
【００６８】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【００６９】
以下、実施の形態により教示される手段を例示的に列挙する。
【００７０】
［付記１］
ＲＧＢ−ｔｏ−ＲＧＢＷ色分解方法において、
入力されるＲＧＢ値および彩度に基づいて白色に対する出力値を決定する段階と、
前記出力値を出力する段階と、
を含むことを特徴とするＲＧＢ−ｔｏ−ＲＧＢＷ色分解方法。
【００７１】
［付記２］
前記白色に対する出力値は、前記ＲＧＢ値のうち最大値が大きいほど、または前記入力色の彩度が小さいほど、大きい値を有することを特徴とする付記１に記載のＲＧＢ−ｔｏ−ＲＧＢＷ色分解方法。
【００７２】
［付記３］
入力されるＲＧＢ値および彩度に基づいて白色に対する出力値を決定する前記段階は、
前記ＲＧＢ値の入力を受けて最大値を確認する段階と、
前記ＲＧＢ値に基づいて前記彩度を計算する段階と、
前記最大値および前記彩度に基づいて前記白色に対する出力値を計算する段階と、
を含むことを特徴とする付記１に記載のＲＧＢ−ｔｏ−ＲＧＢＷ色分解方法。
【００７３】
［付記４］
前記最大値および前記彩度に基づいて前記白色に対する出力値を計算する前記段階は、
下記の式（１）を用いて前記白色に対する出力値を計算することを特徴とする付記３に記載のＲＧＢ−ｔｏ−ＲＧＢＷ色分解方法。
【００７４】
Ｒｏｕｔ＝Ｒｉｎ、
Ｇｏｕｔ＝Ｇｉｎ、
Ｂｏｕｔ＝Ｂｉｎ、
Ｗｏｕｔ＝｛（１−Ｓ）（１−α）＋α｝×Ｍａｘ（Ｒｉｎ、Ｇｉｎ、Ｂｉｎ）
（１）
ここで、前記Ｒｉｎは赤色に対する入力値を、前記Ｇｉｎは緑色に対する入力値を、前記Ｂｉｎは青色に対する入力値を、前記Ｒｏｕｔは前記赤色に対する出力値を、前記Ｇｏｕｔは前記緑色に対する出力値を、前記Ｂｏｕｔは前記青色に対する出力値を、前記Ｗｏｕｔは前記白色に対する出力値をそれぞれ意味しており、前記Ｓは前記彩度を、前記Ｍａｘ（Ｒｉｎ、Ｇｉｎ、Ｂｉｎ）は前記ＲＧＢ値の最大値を、前記Ｍｉｎ（Ｒｉｎ、Ｇｉｎ、Ｂｉｎ）は前記ＲＧＢ値の最小値を、前記αは０と１の間の値をそれぞれ意味する。
【００７５】
［付記５］
入力されるＲＧＢ値および彩度に基づいて白色に対する出力値を決定する前記段階は、
色空間変換を用いて前記ＲＧＢ値を輝度と彩度成分を含む色空間値に変換する段階と、
前記輝度と彩度成分を含む色空間値を用いて前記ＲＧＢ値に対する出力値を計算する段階と、
前記輝度と彩度成分を含む色空間値のうちＳ値およびＶ値を用いて前記白色に対する出力値を計算する段階と、
を含むことを特徴とする付記１に記載のＲＧＢ−ｔｏ−ＲＧＢＷ色分解方法。
【００７６】
［付記６］
前記輝度と彩度成分を含む色空間値を用いて前記ＲＧＢ値に対する出力値を計算する前記段階は、
前記輝度と彩度成分を含む色空間値のうち輝度値Ｖを強調してＶ’値を計算する段階と、
前記輝度と彩度成分を含む色空間値のうち彩度値Ｓ、前記Ｖ’値を用いて前記輝度と彩度成分を含む色空間値のうちＳ値が最大である場合に対するＲＧＢ値であるＲ’Ｇ’Ｂ’値を計算する段階と、
前記Ｒ’Ｇ’Ｂ’値、前記Ｓ値、および前記Ｖ’値を用いて前記ＲＧＢに対する出力値を計算する段階と、
を含むことを特徴とする付記５に記載のＲＧＢ−ｔｏ−ＲＧＢＷ色分解方法。
【００７７】
［付記７］
前記輝度と彩度成分を含む色空間値のうち輝度値Ｖ値を強調してＶ’値を計算する前記段階は、
前記Ｖ値を入力されたモデルパラメータＶｔｈに基づいて線形に増加させ、前記増加されたＶ値のうち予め選定された最大値以上のＶ値を前記最大値としてクリッピングして前記Ｖ’値を計算することを特徴とする付記６に記載のＲＧＢ−ｔｏ−ＲＧＢＷ色分解方法。
【００７８】
［付記８］
前記Ｒ’Ｇ’Ｂ’値、前記Ｓ値、および前記Ｖ’値を用いて前記ＲＧＢに対する出力値を計算する前記段階は、
前記ＲＧＢ値のうちＲ値、Ｇ値、またはＢ値に対して前記Ｓ値が入力されたモデルパラメータＳｔｈよりも大きい場合には、前記Ｒ’Ｇ’Ｂ’値のうちＲ’値、Ｇ’値、またはＢ’値を前記Ｒ値、前記Ｇ値、または前記Ｂ値として決定することを特徴とする付記６に記載のＲＧＢ−ｔｏ−ＲＧＢＷ色分解方法。
【００７９】
［付記９］
前記Ｒ’Ｇ’Ｂ’値、前記Ｓ値、および前記Ｖ’値を用いて前記ＲＧＢに対する出力値を計算する前記段階は、
前記ＲＧＢ値のうちＲ値、Ｇ値、またはＢ値に対して前記Ｓ値が入力されたモデルパラメータＳｔｈよりも小さい場合には、前記Ｓに線形に比例するように前記出力値を増加させ、前記Ｓが０である場合には、前記Ｖ’値を前記Ｒ値、前記Ｇ値、または前記Ｂ値として決定することを特徴とする付記６に記載のＲＧＢ−ｔｏ−ＲＧＢＷ色分解方法。
【００８０】
［付記１０］
前記輝度と彩度成分を含む色空間値のうちＳ値およびＶ値を用いて前記白色に対する出力値を計算する前記段階は、
前記白色に対して前記Ｓ値が０よりも大きくて入力されたモデルパラメーターＳｔｈよりも小さい場合には、前記Ｖ値を前記出力値として決定することを特徴とする付記５に記載のＲＧＢ−ｔｏ−ＲＧＢＷ色分解方法。
【００８１】
［付記１１］
前記輝度と彩度成分を含む色空間値のうちＳ値およびＶ値を用いて前記白色に対する出力値を計算する前記段階は、
前記白色に対して前記Ｓ値が入力されたモデルパラメーターＳｔｈよりも大きくて１よりも小さい場合には、前記出力値が前記Ｖから前記Ｖの最小値に線形的に減少させることを特徴とする付記５に記載のＲＧＢ−ｔｏ−ＲＧＢＷ色分解方法。
【００８２】
［付記１２］
前記最小値は、前記Ｖ値によって決定される値であって、前記Ｖ値が入力されたモデルパラメータＶｔｈよりも小さければ０の値を有し、前記Ｖ値が前記Ｖｔｈよりも大きければ、前記Ｖ値が１であるとき、入力されたモデルパラメータＷａｄｄ値となるように増加することを特徴とする付記１１に記載のＲＧＢ−ｔｏ−ＲＧＢＷ色分解方法。
【００８３】
［付記１３］
入力されるＲＧＢ値および彩度に基づいて白色に対する出力値を計算する前記段階は、
前記ＲＧＢ値を線形化する段階と、
前記ＲＧＢ値に対する出力値および前記白色に対する出力値にディスプレイガンマをそれぞれ適用する段階と、
をさらに含むことを特徴とする付記５に記載のＲＧＢ−ｔｏ−ＲＧＢＷ色分解方法。
【００８４】
［付記１４］
ＲＧＢ−ｔｏ−ＲＧＢＷ色分解方法において、
入力されるＲＧＢ値の入力を受けて最大値を確認する段階と、
前記ＲＧＢ値に基づいて彩度を計算する段階と、
前記最大値および前記彩度に基づいて白色に対する出力値を計算する段階と、
を含むことを特徴とするＲＧＢ−ｔｏ−ＲＧＢＷ色分解方法。
【００８５】
［付記１５］
前記最大値および前記彩度に基づいて前記白色に対する出力値を計算する前記段階は、
下記の式（２）を用いて前記白色に対する出力値を計算することを特徴とする付記１４に記載のＲＧＢ−ｔｏ−ＲＧＢＷ色分解方法。
【００８６】
Ｒｏｕｔ＝Ｒｉｎ、
Ｇｏｕｔ＝Ｇｉｎ、
Ｂｏｕｔ＝Ｂｉｎ、
Ｗｏｕｔ＝｛（１−Ｓ）（１−α）＋α｝×Ｍａｘ（Ｒｉｎ、Ｇｉｎ、Ｂｉｎ）
（２）
ここで、前記Ｒｉｎは赤色に対する入力値を、前記Ｇｉｎは緑色に対する入力値を、前記Ｂｉｎは青色に対する入力値を、前記Ｒｏｕｔは前記赤色に対する出力値を、前記Ｇｏｕｔは前記緑色に対する出力値を、前記Ｂｏｕｔは前記青色に対する出力値を、前記Ｗｏｕｔは前記白色に対する出力値をそれぞれ意味しており、前記Ｓは前記彩度を、前記Ｍａｘ（Ｒｉｎ、Ｇｉｎ、Ｂｉｎ）は前記ＲＧＢ値の最大値を、前記Ｍｉｎ（Ｒｉｎ、Ｇｉｎ、Ｂｉｎ）は前記ＲＧＢ値の最小値を、前記αは０と１の間の値をそれぞれ意味する。
【００８７】
［付記１６］
ＲＧＢ−ｔｏ−ＲＧＢＷ色分解方法において、
色空間変換を用いて前記ＲＧＢ値を輝度と彩度成分を含む色空間に変換する段階と、
前記輝度と彩度成分を含む色空間値のうち彩度値Ｓおよび輝度値Ｖを用いて前記白色に対する出力値を計算する段階と、
を含むことを特徴とするＲＧＢ−ｔｏ−ＲＧＢＷ色分解方法。
【００８８】
［付記１７］
前記輝度と彩度成分を含む色空間値を用いて前記ＲＧＢ値に対する出力値を計算する段階、
をさらに含むことを特徴とする付記１６に記載のＲＧＢ−ｔｏ−ＲＧＢＷ色分解方法。
【００８９】
［付記１８］
前記輝度と彩度成分を含む色空間値を用いて前記ＲＧＢ値に対する出力値を計算する前記段階は、
前記輝度と彩度成分を含む色空間値のうちＶ値を強調してＶ’値を計算する段階と、
前記輝度と彩度成分を含む色空間値のうちの値、前記Ｖ’値を用いて、前記輝度と彩度成分を含む色空間値のうちＳ値が最大である場合に対するＲＧＢ値であるＲ’Ｇ’Ｂ’値を計算する段階と、
前記Ｒ’Ｇ’Ｂ’値、前記Ｓ値、および前記Ｖ’値を用いて前記ＲＧＢに対する出力値を計算する段階と、
を含むことを特徴とする付記１６に記載のＲＧＢ−ｔｏ−ＲＧＢＷ色分解方法。
【００９０】
［付記１９］
前記輝度と彩度成分を含む色空間値のうちＶ値を強調してＶ’値を計算する前記段階は、
前記Ｖ値を入力されたモデルパラメータＶｔｈに基づいて線形に増加させ、前記増加されたＶ値のうち予め選定された最大値以上のＶ値を前記最大値としてクリッピングして前記Ｖ’値を計算することを特徴とする付記１８に記載のＲＧＢ−ｔｏ−ＲＧＢＷ色分解方法。
【００９１】
［付記２０］
前記Ｒ’Ｇ’Ｂ’値、前記Ｓ値、および前記Ｖ’値を用いて前記ＲＧＢに対する出力値を計算する前記段階は、
前記ＲＧＢ値のうちＲ値、Ｇ値、またはＢ値に対して前記Ｓ値が入力されたモデルパラメータＳｔｈよりも大きい場合には、前記Ｒ’Ｇ’Ｂ’値のうちＲ’値、Ｇ’値、またはＢ’値を前記Ｒ値、前記Ｇ値、または前記Ｂ値として決定することを特徴とする付記１８に記載のＲＧＢ−ｔｏ−ＲＧＢＷ色分解方法。
【００９２】
［付記２１］
前記Ｒ’Ｇ’Ｂ’値、前記Ｓ値、および前記Ｖ’値を用いて前記ＲＧＢに対する出力値を計算する前記段階は、
前記ＲＧＢ値のうちＲ値、Ｇ値、またはＢ値に対して前記Ｓ値が入力されたモデルパラメータＳｔｈよりも小さい場合には、前記Ｓに線形に比例するように前記出力値を増加させ、前記Ｓが０である場合には、前記Ｖ’値を前記Ｒ値、前記Ｇ値、または前記Ｂ値として決定することを特徴とする付記１８に記載のＲＧＢ−ｔｏ−ＲＧＢＷ色分解方法。
【００９３】
［付記２２］
前記輝度と彩度成分を含む色空間値のうちＳ値およびＶ値を用いて前記白色に対する出力値を計算する前記段階は、
前記白色に対して前記Ｓ値が０よりも大きくて入力されたモデルパラメータＳｔｈよりも小さい場合には、前記Ｖ値を前記出力値として決定し、前記Ｓ値が入力されたモデルパラメーターＳｔｈより大きくて１よりも小さい場合には、前記出力値が前記Ｖから前記Ｖの最小値に線形的に減少させることを特徴とする付記１６に記載のＲＧＢ−ｔｏ−ＲＧＢＷ色分解方法。
【００９４】
［付記２３］
前記最小値は、前記Ｖ値によって決定される値であって、前記Ｖ値が入力されたモデルパラメータＶｔｈよりも小さければ０の値を有し、前記Ｖ値が前記Ｖｔｈよりも大きければ、前記Ｖ値が１であるとき、入力されたモデルパラメータＷａｄｄ値となるように増加することを特徴とする付記２２に記載のＲＧＢ−ｔｏ−ＲＧＢＷ色分解方法。
【００９５】
［付記２４］
前記ＲＧＢ値を線形化する段階と、
前記ＲＧＢ値に対する出力値および前記白色に対する出力値にディスプレイガンマをそれぞれ適用する段階と、
をさらに含むことを特徴とする付記１６に記載のＲＧＢ−ｔｏ−ＲＧＢＷ色分解方法。
【００９６】
［付記２５］
コンピュータに、
入力されるＲＧＢ値および彩度に基づいて白色に対する出力値を決定する段階と、
前記出力値を出力する段階と、
を実行させることを特徴とするＲＧＢ−ｔｏ−ＲＧＢＷ色分解プログラム。
【００９７】
［付記２６］
付記２５を記録したコンピュータ読み取り可能な記録媒体。
【００９８】
［付記２７］
ＲＧＢ−ｔｏ−ＲＧＢＷ色分解システムにおいて、
入力されるＲＧＢ値および彩度に基づいて白色に対する出力値を決定する白色出力値決定部と、
入力色が純色である場合に前記出力値を出力する出力部と、
を含むことを特徴とするＲＧＢ−ｔｏ−ＲＧＢＷ色分解システム。
【００９９】
［付記２８］
前記白色に対する出力値は、前記ＲＧＢ値のうち最大値が大きいほど、または前記入力色の彩度が小さいほど、大きい値を有することを特徴とする付記２７に記載のＲＧＢ−ｔｏ−ＲＧＢＷ色分解システム。
【０１００】
［付記２９］
前記白色出力値決定部は、
前記ＲＧＢ値の入力を受けて最大値を確認するＲＧＢ最大値確認部と、
前記ＲＧＢ値に基づいて前記彩度を計算する彩度計算部と、
前記最大値および前記彩度に基づいて前記白色に対する出力値を計算する出力値計算部と、
を含むことを特徴とする付記２７に記載のＲＧＢ−ｔｏ−ＲＧＢＷ色分解システム。
【０１０１】
［付記３０］
前記白色出力値決定部は、
色空間変換を用いて前記ＲＧＢ値を輝度と彩度成分を含む色空間値に変換するＲＧＢ値変換部と、
前記輝度と彩度成分を含む色空間値を用いて前記ＲＧＢ値に対する出力値を計算するＲＧＢ出力値計算部と、
前記輝度と彩度成分を含む色空間値のうち彩度値Ｓおよび輝度値Ｖを用いて前記白色に対する出力値を計算する白色出力値計算部と、
を含むことを特徴とする付記２７に記載のＲＧＢ−ｔｏ−ＲＧＢＷ色分解システム。
【０１０２】
［付記３１］
ＲＧＢ−ｔｏ−ＲＧＢＷ色分解システムにおいて、
入力されるＲＧＢ値の入力を受けて最大値を確認するＲＧＢ最大値確認部と、
前記ＲＧＢ値に基づいて彩度を計算する彩度計算部と、
前記最大値および前記彩度に基づいて白色に対する出力値を計算する白色出力値計算部と、
を含むことを特徴とするＲＧＢ−ｔｏ−ＲＧＢＷ色分解システム。
【０１０３】
［付記３２］
前記白色出力値計算部は、
下記の式（３）を用いて前記白色に対する出力値を計算することを特徴とする付記３０に記載のＲＧＢ−ｔｏ−ＲＧＢＷ色分解システム。
【０１０４】
Ｒｏｕｔ＝Ｒｉｎ、
Ｇｏｕｔ＝Ｇｉｎ、
Ｂｏｕｔ＝Ｂｉｎ、
Ｗｏｕｔ＝｛（１−Ｓ）（１−α）＋α｝×Ｍａｘ（Ｒｉｎ、Ｇｉｎ、Ｂｉｎ）
（３）
ここで、前記Ｒｉｎは赤色に対する入力値を、前記Ｇｉｎは緑色に対する入力値を、前記Ｂｉｎは青色に対する入力値を、前記Ｒｏｕｔは前記赤色に対する出力値を、前記Ｇｏｕｔは前記緑色に対する出力値を、前記Ｂｏｕｔは前記青色に対する出力値を、前記Ｗｏｕｔは前記白色に対する出力値をそれぞれ意味しており、前記Ｓは前記彩度を、前記Ｍａｘ（Ｒｉｎ、Ｇｉｎ、Ｂｉｎ）は前記ＲＧＢ値の最大値を、前記Ｍｉｎ（Ｒｉｎ、Ｇｉｎ、Ｂｉｎ）は前記ＲＧＢ値の最小値を、前記αは０と１の間の値をそれぞれ意味する。
【０１０５】
［付記３３］
ＲＧＢ−ｔｏ−ＲＧＢＷ色分解システムにおいて、
色空間変換を用いて前記ＲＧＢ値を輝度と彩度成分を含む色空間に変換するＲＧＢ変換部と、
前記輝度と彩度成分を含む色空間値のうち彩度値Ｓおよび輝度値Ｖを用いて前記白色に対する出力値を計算する白色出力値計算部と、
を含むことを特徴とするＲＧＢ−ｔｏ−ＲＧＢＷ色分解システム。
【０１０６】
［付記３４］
前記輝度と彩度成分を含む色空間値を用いて前記ＲＧＢ値に対する出力値を計算するＲＧＢ出力値計算部と、
をさらに含むことを特徴とする付記３３に記載のＲＧＢ−ｔｏ−ＲＧＢＷ色分解システム。
【０１０７】
［付記３５］
前記ＲＧＢ出力値計算部は、
前記輝度と彩度成分を含む色空間値のうちＶ値を強調してＶ’値を計算するＶ値強調部と、
前記輝度と彩度成分を含む色空間値のうちＳ値、前記Ｖ’値を用いて、前記色空間値のうちＳ値が最大である場合に対するＲＧＢ値であるＲ’Ｇ’Ｂ’値を計算するＲ’Ｇ’Ｂ’値計算部と、
前記Ｒ’Ｇ’Ｂ’値、前記Ｓ値、および前記Ｖ’値を用いて前記ＲＧＢに対する出力値を計算する出力値計算部と、
を含むことを特徴とする付記３４に記載のＲＧＢ−ｔｏ−ＲＧＢＷ色分解システム。
【０１０８】
［付記３６］
白色出力値計算部は、
前記白色に対して前記Ｓ値が０よりも大きくて入力されたモデルパラメータＳｔｈよりも小さい場合には、前記Ｖ値を前記出力値として決定し、前記Ｓ値が入力されたモデルパラメータＳｔｈよりも大きくて１よりも小さな場合には、前記出力値が前記Ｖから前記Ｖの最小値に線形的に減少させることを特徴とする付記３３に記載のＲＧＢ−ｔｏ−ＲＧＢＷ色分解システム。
【０１０９】
［付記３７］
前記ＲＧＢ値を線形化するＲＧＢ値線形化部と、
前記ＲＧＢ値に対する出力値および前記白色に対する出力値にディスプレイガンマをそれぞれ適用するガンマ適用部と、
をさらに含むことを特徴とする付記３３に記載のＲＧＢ−ｔｏ−ＲＧＢＷ色分解システム。
【０１１０】
［付記３８］
輝度に対する不正な影響なくＲＧＢをＲＧＢＷに変換するシステムにおいて、
入力ＲＧＢ値に基づいて白色値および出力ＲＧＢ値を決定する白色値決定部と（前記白色値は、前記出力ＲＧＢ値の増加によって線形に増加する）、
ディスプレイにディスプレイされるピクセルに対応する前記白色値および前記出力ＲＧＢ値を出力する出力部と、
を含むＲＧＢ−ｔｏ−ＲＧＢＷ変換システム。
【０１１１】
［付記３９］
前記白色値決定部は、
前記入力ＲＧＢ値の最大値を決定する最大値決定部と、
前記最大値に基づいて彩度を計算する彩度計算部と、
前記最大値および前記彩度に基づいて前記白色値を計算する白色値計算部と、
を含むことを特徴とする付記３８に記載のＲＧＢ−ｔｏ−ＲＧＢＷ変換システム。
【０１１２】
［付記４０］
前記白色値決定部は、
ＲＧＢ値をＨＳＢ値に変換するＲＧＢ変換部と、
前記ＨＳＢ値に基づいて前記出力ＲＧＢ値を決定するＲＧＢ値計算部と、
前記ＨＳＢ値に基づいて前記白色値を計算する白色値計算部と、
を含むことを特徴とする付記３８に記載のＲＧＢ−ｔｏ−ＲＧＢＷ変換システム。
【０１１３】
［付記４１］
前記ＲＧＢ値計算部は、
前記ＨＳＢ値の輝度値を強調する輝度強調部と、
前記強調された輝度値および前記ＨＳＢ値の彩度値に基づいて中間ＲＧＢ値を決定するＲＧＢ決定部と、
前記中間ＲＧＢ値、前記強調された輝度値、および前記彩度値に基づいて前記出力ＲＧＢ値を決定するＲＧＢ出力部と、
を含むことを特徴とする付記４０に記載のＲＧＢ−ｔｏ−ＲＧＢＷ変換システム。
【０１１４】
［付記４２］
前記ＲＧＢ値計算部は、
前記入力ＲＧＢ値を線形化する線形化部と（線形化されたＲＧＢ値は、輝度に線形で比例する）、
前記出力ＲＧＢ値および前記白色値にガンマを適用するガンマ部と、
を含み、
前記ＲＧＢ変換部は、
前記線形化されたＲＧＢ値を前記ＨＳＢ値に変換することを特徴とする付記４０記載のＲＧＢ−ｔｏ−ＲＧＢＷ変換システム。
【０１１５】
［付記４３］
前記白色値は、前記入力ＲＧＢ値の最大値が増加し、前記入力ＲＧＢ値の彩度が減少するだけ増加し、
前記白色値決定部は、
前記増加された白色値を決定することを特徴とする付記３８に記載のＲＧＢ−ｔｏ−ＲＧＢＷ変換システム。
【０１１６】
［付記４４］
前記白色値決定部は、
前記入力ＲＧＢ値の調整なく前記白色値を決定することを特徴とする付記３８に記載のＲＧＢ−ｔｏ−ＲＧＢＷ変換システム。
【符号の説明】
【０１１７】
１１１，１２１  赤色サブピクセル
１１２、１２３  反射体
１１３、１２２  白色サブピクセル
１１４    第１経路
１１５    第２経路
１２４    第３経路
１２５    第４経路
１２６    第５経路
９００    ＲＧＢ−ｔｏ−ＲＧＢＷ色分解システム
９１０    白色出力値決定部
９１１    ＲＧＢ最大値計算部
９１２    彩度計算部
９１３、１０３０、１１０４  白色出力値計算部
９２０    出力部
１０１０、１１０２  ＲＧＢ変換部
１０２０、１１０３  ＲＧＢ出力値計算部
１０２１  Ｖ値強調部
１０２２  Ｒ’Ｇ’Ｂ’値計算部
１０２３  出力値計算部
１１０１  線形化部
１１０５  ガンマ適用部
【図１】
2014102511.tif 000004
【図２】
2014102511.tif 000005
【図３】
2014102511.tif 000006
【図４】
2014102511.tif 000007
【図５】
2014102511.tif 000008
【図６】
2014102511.tif 000009
【図７ａ】
2014102511.tif 000010
【図７ｂ】
2014102511.tif 000011
【図８】
2014102511.tif 000012
【図９】
2014102511.tif 000013
【図１０】
2014102511.tif 000014
【図１１】
2014102511.tif 000015